(57)【要約】【課題】フレキシブルケーブルの斜め挿し検出のための専用ラインを設けずに誤挿入を検出することができる電子機器装置、およびフレキシブルケーブルの接続判定方法を提供することを課題とする。【解決手段】電源制御部３は、記録ヘッド７とヘッド制御基板接続部９を接続するフレキシブルケーブル８の両端の信号線のうちの、少なくとも一方の信号線の出力信号からフレキシブルケーブル８が正常に接続されているかどうかを判定する。【選択図】  図１
2011060504.tif 000002
【特許請求の範囲】
【請求項１】
機器と機器とがフレキシブルケーブルで接続される構成を有する電子機器装置において、
接続元となる第１の機器と、
接続先となる第２の機器と、
複数の信号線よりなり、当該複数の信号線で前記第１の機器と第２の機器とを接続し、当該複数の信号線のうちの両端に当たる信号線のうちの少なくとも一方を前記第２の機器から前記第１の機器に出力する信号線とするフレキシブルケーブルと、
前記第１の機器と前記第２の機器とが前記フレキシブルケーブルによって正常に接続されているか否かを、前記フレキシブルケーブルの前記両端に当たる信号線のうちの少なくとも一方から出力される信号の状態から判断する電源制御部と、
を備えることを特徴とする電子機器装置。
【請求項２】
演算処理部、及び制御プログラムを予め記憶している記憶部を少なくとも備える制御部をさらに備え、
前記制御部は、前記演算処理部に前記制御プログラムを実行させることにより前記電源制御部として機能する、ことを特徴とする請求項１に記載の画像記録装置。
【請求項３】
前記第２の機器は計測部を備え、前記フレキシブルケーブルの前記両端に当たる信号線のうちの少なくとも一方は、前記計測部の出力を前記第１の機器に出力する信号線であることを特徴とする請求１に記載の電子機器装置。
【請求項４】
前記電子機器は画像記憶装置であり、前記第２の機器は記録ヘッドであり、前記計測部は、前記記録ヘッド内の温度を計測するセンサであることを特徴とする請求項３に記載の電子機器装置。
【請求項５】
前記フレキシブルケーブルの前記両端に当たる信号線のうちの少なくとも一方は、前記第１の機器から前記第２の機器への通知信号に対する応答信号の信号線であることを特徴とする請求１に記載の電子機器装置。
【請求項６】
前記第１の機器から前記第２の機器への通知信号はリセット信号であり、前記応答信号は前記第２の機器の設定信号であることを特徴とする請求項５に記載の電子機器装置。
【請求項７】
前記電源制御部は、前記第１の機器と前記第２の機器とが前記フレキシブルケーブルによって正常に接続されていると判定したとき前記第１の機器から前記第２の機器に電源を供給するよう制御することを特徴とする請求項１に記載の電子機器装置。
【請求項８】
前記電源制御部は、前記両端に当たる信号線のうちの一方から前記第１の機器と前記第２の機器とが前記フレキシブルケーブルによって正常に接続されていると判定したとき、前記第１の機器から前記第２の機器に第１の電源を供給し、前記両端に当たる信号線のうちのもう一方から前記第１の機器と前記第２の機器とが前記フレキシブルケーブルによって正常に接続されていると判定したとき、さらに前記第１の機器から前記第２の機器に第２の電源を供給するよう制御することを特徴とする請求項７に記載の電子機器装置。
【請求項９】
前記電源制御部は、前記前記第１の機器と前記第２の機器とが前記フレキシブルケーブルによって正常に接続されていないと判断したとき、前記第２の電子機器に電源を供給することを停止することを特徴とする請求項７に記載の電子機器装置。
【請求項１０】
前記電源制御部が、前記第１の機器と前記第２の機器とが前記フレキシブルケーブルによって正常に接続されていないと判断したとき、異常を報知する報知部を備えたことを特徴とする請求項１に記載の電子機器装置。
【請求項１１】
前記電子機器装置は画像記憶装置であり、前記第２の機器は記録ヘッドであり、前記第１の機器は前記記録ヘッドを制御するヘッド制御部であることを特徴とする請求項１に記載の電子機器装置。
【請求項１２】
第１の機器と第２の機器が複数の信号線間からなるフレキシブルケーブルで接続される構成を有する電子機器装置におけるフレキシブルケーブルの接続判定方法において、
前記複数の信号線のうちの両端に当たる信号線のうちの少なくとも一方を前記第２の機器から前記第１の機器に出力する信号線とし、
前記第１の機器と前記第２の機器とが前記フレキシブルケーブルによって正常に接続されているか否かを、前記フレキシブルケーブルの前記両端に当たる信号線のうちの少なくとも一方から出力される信号の状態から判断する
ことを特徴とするフレキシブルケーブルの接続判定方法。
【請求項１３】
前記第２の機器は計測部を備え、前記フレキシブルケーブルの前記両端に当たる信号線のうちの少なくとも一方は、前記計測部の出力を前記第１の機器に出力する信号線であることを特徴とする請求１２に記載のフレキシブルケーブルの接続判定方法。
【請求項１４】
前記フレキシブルケーブルの前記両端に当たる信号線のうちの少なくとも一方は、前記第１の機器から前記第２の機器への通知信号に対する応答信号の信号線であることを特徴とする請求１２に記載のフレキシブルケーブルの接続判定方法。
【発明の詳細な説明】
【技術分野】
【０００１】
本発明は、電子機器装置を構成する機器のフレキシブルケーブルによる接続に関し、特にフレキシブルケーブルの斜め挿しを含む挿入異常の検出および誤挿入を防止する技術に関する。
【背景技術】
【０００２】
電子機器装置においては、各種信号の伝達のための接続にはフレキシブルケーブルが用いられている。このフレキシブルケーブルは、複数の信号線を備え、その一端または両端が機器に着脱が可能なように、機器に接続構造が設けられている。以下にフレキシブルケーブルを用いた電子機器の例として画像記録装置を例にして説明する。
【０００３】
画像記録装置の１つであるインクジェット方式のフルライン型のカラープリンタでは、記録媒体が搬送される搬送方向に対して直交する方向（主走査方向）に、インク吐出のための複数のノズルを形成した記録ヘッドが、（副走査方向）に離間してインク色毎に配設されている。
【０００４】
このような画像記録装置（カラープリンタ）の記録ヘッドは、圧電部材（ＰＺＴ）による基板に多数の溝を形成してインク室を並設し、これらのインク室の内面に電極を形成して電圧を印加することによりインク室の容積を変化させてインクを吐出する構成となっている。
【０００５】
画像記録装置は、このような記録ヘッドに対して電圧を印加して駆動するための制御基板を備えている。そしてこの制御基板は、基板内部に電源を持たないで別の基板からフレキシブルケーブルを介して電源が供給される構成を取るのが一般的である。そしてこのような、フレキシブルケーブルが、基板に対して誤挿入されると、基板の回路の破壊につながる。
【０００６】
これに関連した技術として、特許文献１には、フレキシブルケーブルが誤挿入された場合に回路の短絡による装置の破壊を未然に防止するために、斜め刺し防止機能を備えた技術が開示されている。この技術を用いればフレキシブルケーブルの誤挿入によって装置の破壊を未然に防ぐことが可能とされている。
【先行技術文献】
【特許文献】
【０００７】
【特許文献１】特開２００６−９２８６８号公報
【発明の概要】
【発明が解決しようとする課題】
【０００８】
上記した特許文献１では、電源供給装置と電子機器（インクジェットヘッド）とを接続するフレキシブルケーブルの両端に斜め挿し検出専用のラインを設け、この斜め挿し検出専用のラインの電圧レベルを調べることで斜め刺しを検出している。
【０００９】
そのため特許文献１の方法は、フレキシブルケーブルのライン数が増加し、対応するコネクタのピン数も増え、装置の大型化を招く。また、フレキシブルケーブルの両端を斜め挿し検出ラインに占有するため装置の設計上の自由度を妨げることとなる。
【００１０】
そこで本発明は、フレキシブルケーブルの斜め挿し検出のための専用ラインを設けずに誤挿入を検出することができる電子機器装置、およびフレキシブルケーブルの接続判定方法を提供することを目的とする。
【課題を解決するための手段】
【００１１】
本発明による電子機器装置は、機器と機器とがフレキシブルケーブルで接続される構成を有する電子機器装置において、接続元となる第１の機器と、接続先となる第２の機器と、複数の信号線よりなり、当該複数の信号線で前記第１の機器と第２の機器とを接続し、当該複数の信号線のうちの両端に当たる信号線のうちの少なくとも一方を前記第２の機器から前記第１の機器に出力する信号線とするフレキシブルケーブルと、前記第１の機器と前記第２の機器とが前記フレキシブルケーブルによって正常に接続されているか否かを、前記フレキシブルケーブルの前記両端に当たる信号線のうちの少なくとも一方から出力される信号の状態から判断する電源制御部と、を備えることを特徴とする。
【００１２】
本発明によるフレキシブルケーブルの接続判定方法は、第１の機器と第２の機器が複数の信号線からなるフレキシブルケーブルで接続される構成を有する電子機器装置におけるフレキシブルケーブルの接続判定方法において、前記複数の信号線のうちの両端に当たる信号線のうちの少なくとも一方を前記第２の機器から前記第１の機器に出力する信号線とし、前記第１の機器と前記第２の機器とが前記フレキシブルケーブルによって正常に接続されているか否かを、前記フレキシブルケーブルの前記両端に当たる信号線のうちの少なくとも一方から出力される信号の状態から判断する、ことを特徴とする。
【発明の効果】
【００１３】
本発明によれば、フレキシブルケーブルが斜め挿し等により正常に接続されていないことを検出することが出来る。
また正常でない接続によって、機器が破壊されるのを防ぐことが出来る。
【図面の簡単な説明】
【００１４】
【図１】本実施形態の画像記録装置１の構成例を概念的に示す図である。
【図２】記録ユニットの構成を示す図である。
【図３】本実施形態の画像記録装置におけるキャリッジ上のノズル列を配置例を模式的に示す測面図である。
【図４】図３の１２−１部分を拡大してヘッド制御基板と記録ヘッドの接続関係を模式的に示した図である。
【図５】本実施形態の画像記憶装置の電源制御部によって行われる制御処理を示すフローチャートである。
【図６】記録ヘッドの別構成を示す図である。
【図７】図６の記録ヘッドをフレキシブルケーブルによってヘッド制御基板接続部と接続した記録ユニットの構成を示す図である。
【発明を実施するための形態】
【００１５】
以下、本発明の第１実施形態を、図面を参照しながら詳細に説明する。
なお以下の説明では、本実施形態の電子機器装置の例として、画像記憶装置に本発明を適用した場合を例として説明している。しかし、本実施形態の電子機器装置は、画像記憶装置に限定されるものではなく、電子機器装置を構成する機器をフレキシブルケーブルで接続する構成のものであれば他の電子機器装置であっても良い。
【００１６】
また以下に示す本実施形態の画像記憶装置の説明においては、記録媒体の搬送方向をＸ軸方向（副走査方向）とし、この搬送方向と直行する方向をＹ軸方向（主走査方向）または記録媒体５０の幅方向と定義して説明している。そしてさらにＸＹ平面に直行する方向をＺ軸方向又は上下方向と定義して説明している。
【００１７】
まず、本実施形態におけるフレキシブルケーブルの誤挿入を検出できる画像記録装置について説明する。
図１は、本第１実施形態の画像記録装置１の構成例を概念的に示す図である。
【００１８】
図１に示されているように、画像記録装置１は、制御部２、画像記録部１２、及びエラー報知部１１を少なくとも備えている。
ここで、制御部２は、画像記録装置１全体の制御を司るものである。また画像記録部１２は搬送された記録媒体５０に対する記録処理を司るものである。
【００１９】
なお、画像記録装置１は、この他に記録媒体５０を画像記録部１２に搬送する搬送機構、インクによる詰まりや汚れからノズル列２１を回復させる回復部、記録後の記録媒体５０を収納する収納部なども備えているが、図１では図示を省略している。
【００２０】
上述した画像記録装置１の各構成部について説明する。
制御部２は、電源制御部３を少なくとも備えており、この電源制御部３は、画像記録部１２の電源制御を行う。制御部２は、例えば制御機能及び演算機能を有するＭＰＵ（Micro Processor Uｎit：演算処理装置）及び制御プログラムを格納するＲＯＭ（Read Only Memory）等とからなる処理回路と、画像記録装置１の制御に関する設定値等を保存しておく不揮発性メモリから構成される。
【００２１】
エラー報知部１１は、フレキシブルケーブルが誤挿入状態であることをユーザに報知するものであり、液晶表示パネルやＣＲＴ等による表示部やＬＥＤ等の表示機能を備える。また、エラー報知部１１は電子ブザー等の音声によってユーザに報知する構成であっても良い。
【００２２】
画像記録部１２は、ヘッド制御基板４−１乃至４−ｎ、記録ユニット１０−１乃至１０−ｎ、及びフレキシブルケーブル８−１乃至８−ｎを少なくとも備えている。
ヘッド制御基板４−１乃至４−ｎは、ヘッド制御基板接続部９を備え、記録ユニット１０−１乃至１０−ｎを制御する制御回路６−１乃至６−ｎと記録ヘッド７−１乃至７−ｎと接続されている。このヘッド基板４−１乃至４−ｎは、制御回路６−１乃至６−ｎの指示に基づいて記録ヘッド７−１乃至７−ｎを制御する。
【００２３】
また、記録ユニット１０−１乃至１０−ｎは、記録ヘッド７−１乃至７−ｎ、ヘッド制御基板４−１乃至４−ｎを接続するためのフレキシブルケーブル８−１乃至８−ｎ、及びヘッド制御基板接続部９−１乃至９−ｎから構成されている。制御部２は、制御回路６上の揮発領域である駆動波形設定部５にノズル列駆動部２０への設定データを書き込むことで制御回路６−１乃至６−ｎを制御する。
【００２４】
記録ヘッド７は、ノズル列駆動部２０−１−１乃至２０−ｍ−ｎ、ノズル列２１−１−１乃至２１−ｍ−ｎ、及び温度測定部２２−１−１乃至２２−ｍ−ｎを備えている。
図２は、記録ユニット１０の構成を示す図である。
【００２５】
図２に示されているように、記録ユニット１０では、記録ヘッド７とヘッド制御基板接続部９を接続するフレキシブルケーブル８には、複数の信号線Ｌ１〜Ｌ４０を有しておりこれらの信号線が両端を持つようにフラットに並べられる構成となっている。このフレキシブルケーブル８の信号線Ｌ１〜Ｌ４０はそれぞれヘッド制御基板接続部９の接続端子ｌ１〜ｌ４０に接続される。
【００２６】
ここで信号線Ｌ１〜Ｌ４０の一端である信号線Ｌ１には、記録ヘッド７のインク温度を検出する温度測定部２２（Ｔｈ）からの信号が伝達され、もう一端である信号線Ｌ４０には、ノズル列駆動部２０の設定信号（Ｃｆ）が伝達されている。この設定信号（Ｃｆ）は、フレキシブルケーブルが誤挿入無く正常に接続されていれば、Ｌ３９のリセット信号（Ｒｓｔ）に同期してリセットが解除されるとＬＯＷからＨＩＧＨとなる。また信号線Ｌ２〜Ｌ３８中には、ヘッド基板接続部９にＶＤＤ電源（例えば５Ｖ）やＶＣＣ電源（例えば３９Ｖ）を供給する信号線を含んでいる。
【００２７】
本第１実施形態では、電源制御部３がこの設定信号（Ｃｆ）をモニタすることにより、フレキシブルケーブル８が正常に挿入されていることを認識する。
温度測定部２２は、記録ヘッド７のインク温度を測定し、制御部２へ通知するものである。制御部２は、温度測定部２２から通知さえる温度をモニタし、インクの温度が吐出するのに最適な温度になるようノズル列２１を制御する機能を備えている。
【００２８】
温度計測部２２の出力信号はインク温度を計測しているため、温度情報の出力範囲は設計上規定されているため、フレキシブルケーブルの断線等はこの温度信号をモニタすることでも判断が可能である。
【００２９】
図３は、本第１実施形態の画像記録装置１におけるキャリッジ上のノズル列２１を配置例を模式的に示す測面図である。
図３に示すように、各ノズル列２１−１−１乃至２１−ｍ−ｎ及びノズル列駆動部２０−１−１乃至２０−ｍ−ｎは、キャリッジ３１によって支持される形でＹ軸方向（主走査方向）に列を作って、Ｘ軸方向（副走査方向）に特定の間隔で配置されている。図４は、図３の画像記録部１２部分を拡大してヘッド制御基板４と記録ヘッド７の接続関係を模式的に示した図である。
【００３０】
図４に示されるように画像記録部１２−１は、１枚のヘッド制御基板４−１に、フレキシブルケーブル８−１−１乃至８−２−ｎによって複数の記録ヘッド７−１−１乃至７−２−ｎと接続されている。
【００３１】
このような構成により、ヘッド制御基板４−１は、制御回路６−１の指示に基づいて各記録ヘッド７−１−１乃至７−２−ｎを制御し、インクの温度を吐出に最適な状態にする。そして、画像記憶装置１が接続されている上位装置から画像記録開始の指示を受け取ると、制御部２は、ノズル列駆動部２０に対して画像記録開始を指示し、記録媒体５０を搬送してノズル列２１の下方に記録媒体５０が搬送されるタイミングでノズル列２１を駆動してインクを吐出させる。このようにして記録ヘッド７は、ヘッド制御基板４を介して制御部２から受け取る画像データと記録媒体５０の位置情報を用いて記録媒体５０に画像記録を行なう。
【００３２】
次に本第１実施形態の画像記録装置１が備える電源制御部３が、ノズル列２１へ電力供給を開始する際の動作処理について説明する。
電源制御部３は、画像記憶装置１の電源投入時等に起動され、フレキシブルケーブル８がヘッド制御基板接続部９に正常に接続されているかどうかを、設定信号（Ｃｆ）をモニタすることにより、フレキシブルケーブル８が正常に挿入されていることを認識後に、電源ＶＤＤ及びＶＣＣをＯＮにする。
【００３３】
図５は、本第１実施形態の画像記憶装置１の電源制御部３によって行われる制御処理を示すフローチャートである。
同図の処理は、制御部２のＭＰＵがＲＯＭ内の制御プログラムを実行して電源制御部３として機能することにより実現される。なお電源制御部３は、制御プログラムによるソフトウエア的手法によって実現するのではなく、ロジック回路を組むことにより専用のハードウエアによって実現しても良い。
【００３４】
図５において処理が開始されると、電源制御部３は、まずステップＳ１として、温度測定部２２から記録ヘッド７のインク温度を取得する。
次に電源制御部３は、ステップＳ２として、ステップＳ１で取得した温度情報からフレキシブルケーブル８の信号線Ｌ１がヘッド制御基板接続部９の接続端子ｌ１に接続されているかどうかを判定する。
【００３５】
温度測定部２２から出力される温度情報はサーミスタ等の温度センサの出力に基づくものであるので、例えば温度範囲が０℃〜６０℃のとき温度情報は１．０Ｖ〜２．５Ｖとなる等、温度情報の出力範囲は設計上規定されている。フレキシブルケーブル８の誤挿入および断線等でヘッド制御基板４から温度測定部２２に正常な信号伝達が行なわれなかった場合、例えばフレキシブルケーブル８の接続がオープンとなったりグランドとショートしたりした場合は、温度測定部２２から出力される温度情報は０Ｖ等設計値と異なった値となる。また記録ヘッド７は複数存在するため、温度情報も複数あり、これらを比較することにより、他の温度情報とかけ離れた温度情報が得られた場合は何らかの不具合があったとものと判定することが出来る。
【００３６】
電源制御部３は、ステップＳ１で取得した温度情報が正常な値であり、フレキシブルケーブル８の信号線Ｌ１とヘッド制御基板接続部９の接続端子ｌ１が接続されていると判定した場合（ステップＳ２、Ｙｅｓ）、ステップＳ３へ処理を移す。
【００３７】
また、電源制御部３は、ステップＳ２において、温度情報からフレキシブルケーブル８の信号線Ｌ１とヘッド制御基板接続部９の接続端子ｌ１が接続されていないと判定した場合（ステップＳ２、Ｎｏ）、ステップＳ９として、エラー報知部１１にユーザに対してエラーを報知させた後、本処理を終了する。
【００３８】
ステップＳ３において、電源制御部３はフレキシブルケーブル８が正常挿入されているものとして、第１の電源ＶＤＤ（例えば５Ｖ）をフレキシブルケーブル８を介してヘッド制御基板接続部９へ供給するのを開始する。
【００３９】
そして電源制御部３は、ステップＳ４として第１の電源ＶＤＤ電源が安定するまで待機した後、ステップＳ５として記録ヘッド７へのリセット信号（Ｒｓｔ）をＯＮ／ＯＦＦしてパルス信号を出力する。このパルス信号の入力によって、記録ヘッド７のノズル列駆動部２０にリセットがかかる。そして電源制御部３は、ステップＳ６において、リセット解除して信号が安定するまで待機する。
【００４０】
次に電源制御部３は、ステップＳ７として、設定信号（Ｃｆ）がＨＩＧＨになっているかどうかを判定する。
電源制御部３が信号線Ｌ３９のリセット信号（Ｒｓｔ）線にＨＩＧＨを出力すると、記録ヘッド７は信号線Ｌ４０から設定信号（Ｃｆ）としてＬＯＷを出力する。また電源制御部３がリセット信号（Ｒｓｔ）にＬＯＷを出力すると、信号線Ｌ４０の設定信号（Ｃｆ）はＨＩＧＨとなるので、電源制御部３は、信号線Ｌ４０からの出力が信号線Ｌ３９の指示信号に対応した正規の応答をするかどうかをモニタすることでフレキシブルケーブルが正常に接続されているかどうかの判定を行う。
【００４１】
電源制御部３は、信号線Ｌ４０とヘッド制御基板４の端子ｌ４０が正常に接続されていると判定した場合（ステップＳ７、Ｙｅｓ）、ステップＳ８へ処理を移す。また、電源制御部３は、ステップＳ７において、信号線Ｌ４０とヘッド制御基板４の端子ｌ４０が正常に接続されていないと判定した場合（ステップＳ７、Ｎｏ）、ステップＳ９として、第１の電源ＶＤＤの供給を停止すると共に、エラー報知部１１にユーザに対してエラーを報知させた後、本処理を終了する。
【００４２】
ステップＳ８においては、電源制御部３は、ヘッド制御基板接続部９への第２の電源Ｖｃｃ（３９Ｖ）の供給を開始した後、本処理を終了する。
以上説明したように、本第１実施形態の画像記憶装置１が備える電源制御部３によるノズル列２１への電力供給を開始方法ででは、温度測定部２２における接続状態を判断することで第１の電源を供給する前にフレキシブルケーブル８が正常に挿入されているかどうかを検出することができる。
【００４３】
また第１の電源を供給した状態で記録ヘッド７のリセット信号を操作することによってフレキシブルケーブルの他端が正常に接続されているかどうかを検出することができる。
このように本第１実施形態の画像記憶装置１では、記録ヘッド７とヘッド制御基板４の接続状態を検出し、続いて駆動波形設定部５に正しいデータが書き込めるかヘッド制御基板４上の制御回路６の状態を調べることでノズル列駆動部２０を正常に制御できると判断して電力供給を開始することができる。
【００４４】
よって誤った接続によって、機器が破壊されるのを防ぐことが出来る。
次に第２実施形態として、画像記憶装置１が複数のノズル列２１を有する記録ヘッド７を備える場合について説明する。
【００４５】
第２実施形態の画像記録装置１の基本構成は、図１に示した第１実施形態の構成と基本的には同じであるが、記録ヘッド７部分の構成が異なる。
第１実施形態では、記録ヘッド７が１つのノズル列２１を有する場合を示し、記録ヘッド７は、ノズル列２１、ノズル列駆動部２０、及び温度測定部２２から構成されていた。
【００４６】
画像記憶装置の解像度を高める方法として、図６に示すようにピッチＮのノズル列２１ａと、ノズル列２１ａに対してＮ／２ピッチずらしたノズル列２１ｂを有する記録ベッド７ａを用いる構成のものがある。
【００４７】
このような記録ヘッド７ａを有する画像記憶装置１では、全く同一な信号ラインが２系統存在するが、この信号ラインを１枚のフレキシブルケーブル８ａで構成することが経済的であり、スペースも有効に使える。
【００４８】
図７は、このような記録ヘッド７ａをフレキシブルケーブル８ａによってヘッド制御基板接続部９と接続した記録ユニット１０ａの構成を示す図である。
図７に示されるように記録ヘッド７ａはノズル列２１a、ノズル列駆動部２０ａ、及び温度測定部２２ａと、ノズル列２１ｂ、ノズル列駆動部２０ｂ及び温度測定部２２ｂで構成される。
【００４９】
この図７の構成では、フレキシブルケーブル８ａは、ノズル列２１ａの温度測定部２２ａの信号とノズル列２１ｂへの設定信号（Ｃｆ）を両端に設置している。この構成により第１実施形態と同じように両端の接続状態を検出することができる。
【００５０】
さらに図７においては、フレキシブルケーブル８ａの両端に温度測定信号を配置しても良いし、両端に設定信号（Ｃｆ）を配置しても良いし、両端に温度検出信号と設定信号（Ｃｆ）を組み合わせて配置しても良い。
【００５１】
また本実施形態の電子機器装置が画像記憶装置でない場合においても、フレキシブルケーブルで接続する接続先の機器が備えるセンサの出力をフレキシブルケーブルの片端もしくは両端に用いたり、あるいは接続元からの出力に対する応答信号をフレキシブルケーブルの片端もしくは両端に用いればよい。
【００５２】
以上、本実施形態によれば、フレキシブルケーブルの斜め挿し等の誤挿入を検出するための専用ラインを設けることなくフレキシブルケーブルの誤挿入を検出することができる。
【００５３】
また、本発明は前述した実施形態に限定されるものではなく、本発明の要旨を逸脱しない範囲内で種々の改良・変更が可能である。
例えば、画像記録装置１の全体構成からいくつかの構成要素を削除しても良いし、別の構成要素を加えても良い。
【符号の説明】
【００５４】
１  画像記憶装置
２  制御部
３  電源制御部
４  ヘッド制御基板
５  駆動波形設定部
６  制御回路
７  記録ヘッド
８  フレキシブルケーブル
９  ヘッド制御基板接続部
１０  記録ユニット
１１  エラー報知部
１２  画像記録部
２０  ノズル列駆動部
２１  ノズル列
２２  温度測定部
３１  キャリッジ
５０  記録媒体
【図１】
2011060504.tif 000003
【図２】
2011060504.tif 000004
【図３】
2011060504.tif 000005
【図５】
2011060504.tif 000006
【図７】
2011060504.tif 000007
【図４】
2011060504.tif 000008
【図６】
2011060504.tif 000009